【事件の表示】
　特願２００４−１１１６４１号「冷蔵庫の扉体」拒絶査定不服審判事件〔平成１６年８月２６日出願公開、特開２００４−２３９６０７号〕について、次のとおり審決する。
【結　論】
　本件審判の請求は、成り立たない。
【理　由】
１．手続の経緯・本願発明   
　本件に係る出願（以下「本願」という。）は、平成８年１１月２６日に出願した特願平８−３１５０７６号（以下「原出願」という。）の一部を平成１６年４月５日に新たな特許出願としたものであって、平成１９年４月６日付けで拒絶査定がなされ（発送日：同年４月１０日）、これに対し、同年５月１０日に審判請求がなされたものである。
　本願の請求項１に係る発明（以下「本願発明」という。）は、同年１２月２９日付け手続補正書により補正された明細書及び図面の記載からみて、その特許請求の範囲の請求項１に記載された次の事項により特定されるとおりのものである。    
 　  
「冷蔵庫の本体の前方開口に上下に配置したヒンジ板(20,21)のヒンジシャフト(22,23)にて回動自在に枢支され、前記開口を開閉自在に閉塞する内部に発泡断熱(18)を充填した冷蔵庫の扉体において、
　この扉体(11)の下扉キャップ(17)と、
　この下扉キャップ(17)に固定される位置決めピン(28)と、
　発泡前に前記下扉キャップ(17)にセットされ、発泡後には前記発泡断熱材(18)内に埋め込まれる断面コ字状の止め板(24)とを備え、
　この止め板(24)は、前記ヒンジシャフト(23)の上端が挿入される孔(34)が設けられている上止め部(25)と、前記位置決めピン(28)の挿入される孔(29)とネジ(30)が螺合されるタップ孔(31)と前記ヒンジシャフト(23)の通る筒状突起(32)に嵌合される孔(33)とが設けられている下止め部(26)と、これらの止め部(25,26)を連結する連結部(27)とで形成されたことを特徴とする冷蔵庫の扉体。」
　
２．刊行物  
(2-1)原査定の拒絶の理由に引用された、原出願の出願前に頒布された刊行物である実公昭５０−２３８９８号公報（以下「刊行物１」という。）には、図面と共に次の事項が記載されている。 
 　 
ア．「本考案はたとえば
電気冷蔵庫前扉
　
イ．「図は本考案の一実施例を示すもので、ブツシング部の詳細図である。第１図はブツシング１にブツシング用穴を有し板状の補強材２をはめこんだ場合を示し、第２図は同じくその補強材２をはめこんだ場合を示し、第２図は同じくその補強材２を二枚はめこんだ場合、第３図は同じく
補強板２をコ字状に曲げブツシング１にはめ込んだ
　図示にて明らかなようにブツシング１はヒンジ用穴１１を有し、図示省略のプラスチツク扉の所要個所に外側から前記ブツシングが挿入される。このとき扇の内側の硬質ウレタンの注入される部分に前記補強材２をはめこんで、これらの補強材２はブツシング１自身に係着されて硬質ウレタンの
充填部中に保持される
　かくして扉の前面板と内壁のドアライナーとの空間に硬質ウレタンの原液を注入し、
発泡させ
硬質ウレタンが発泡固着する
補強材２により広い面積の硬質ウレタンに力が分散し
　以上のように本考案は、予め補強片を同時成形せずに形成したブツシングを扉外側から挿入し、扉内側からこのブツシングに補強片をさし込むだけで、従来の補強片を一体に成形したものと同等の強度を得られ、その製作作業もきわめて簡単にして安価なプラスチツク製扉を提供するものである。」（第1頁第1欄第33行〜第2欄第27行）
　
ウ．「それぞれを取付ける手間がなくなり工作性の良い安価で、
強度を向上させ
　
エ．第３図には、ブツシング１用穴にヒンジシャフトが嵌め込まれること、　
ヒンジシャフトにより扉を枢支する
　
オ．第３図には、
コ字状補強材２を対向する二枚の平板と二枚の平板を連結する部分とで構成し、平板にはブツシング１の後部をはめ込む孔を設け、平板にはブツシング１の先端部をはめ込む孔を設けること
　
　上記記載事項及び図面の記載内容からみて、刊行物１には、次の発明が記載されている。
　
「ヒンジシャフトにて枢支され、
硬質ウレタンを発泡させた電気冷蔵庫の前扉において、
前扉の内側にはめこんで、発泡させた後、充填部中に発泡固着されるコ字状補強材２を備え、
コ字状補強材２は、
ブツシング１の後部をはめ込む孔を設けた平板と、ブツシング１の先端部をはめ込む孔を設けた平板とからなる二枚の対向する平板と、二枚の平板を連結する部分とで形成され、
コ字状補強材２により広い面積に力が分散するようにし強度を向上させた
電気冷蔵庫の前扉。」
　
(2-2)同じく実願昭６１−８４８５３号（実開昭６２−１９８４８１号）のマイクロフィルム（以下「刊行物２」という。）には、図面と共に次の事項が記載されている。 
　
ア．「一般に冷蔵庫は第８図に示すように冷蔵庫本体(1)その前面に
扉本体(2)を備え
扉本体を開閉自在に軸支するヒンジ(3)、下ヒンジ(4)が取付けられ
　そして第９図は冷蔵庫扉要部の分解斜視図で、(5)は扉外板、
(6)は
サッシ、(8)は扉本体(1)の下ヒンジ(4)部に位置するサッシ(6)の継部(9)を接続する板金製の継手で
(14)は
下ヒンジ用のベアリング
継手(8)
ベアリング挿入孔(15)に挿入固定されている
ボス(17)をサッシ(6)と継手(8)を連通したボス挿入孔(18)に挿入され、サッシ孔(19)を介し継板(8)にネジ(20)により
　
イ．第９図には、
継手(8)をサッシ(6)の継部(9)を接続する位置に設けたこと、継手(8)にサッシ孔(19)を設けたこと、サッシ孔(19)にネジ（20）が螺合されること
　
　上記記載事項及び図面の記載内容からみて、刊行物２には、次の発明が記載されている。
　
「扉本体(2)、及びこの扉本体(2)を開閉自在に軸支するヒンジ(3)、下ヒンジ(4)と、
下ヒンジ(4)部に位置するサッシ(6)と、
サッシ(6)のボス挿入穴(18)に挿入されるボス(17)と、
サッシ(6)の継部(9)を接続する位置に設けた板金製の継手(8)とを備え、
継手(8)は、
ボス(17)の挿入されるボス挿入穴(18)と
ネジ（20）が螺合されるサッシ孔(19)と
下ヒンジ用のベアリング(14)の通るベアリング挿入孔(15)と
が設けられている
冷蔵庫扉。」
　
３．対比
　本願発明と刊行物１に記載された発明を対比する。 
　刊行物１に記載された発明の「ヒンジシャフト」は、ヒンジ板について刊行物１には明記されていないが、電気冷蔵庫本体の前開口に上下に配置したヒンジ板に設けられるものであることは明らかである。
　そして、刊行物１に記載された発明の「枢支」は、本願発明の「回動自在に枢支」に相当し、以下同様に、
　「電気冷蔵庫の前扉」は「開口を開閉自在に閉塞する・・・冷蔵庫の扉体」に、
　「コ字状補強材２」は「断面コ字状の止め板(24)」に、
　「ブツシング１の後部をはめ込む孔」は「ヒンジシャフト(23)の通る孔」
　「平板」は「止め部」に、
　「連結する部分」は「連結部(27)」に、
それぞれ、相当する。
　そして、刊行物１に記載された発明の「硬質ウレタンを充填させた」は「内部に発泡断熱(18)を充填した」と同義である。
　同様に、「扉の内側にはめこんで、発泡させた後、充填部中に発泡固着される」は「発泡前にセットされ、発泡後には発泡断熱材(18)内に埋め込まれる」と同義である。
　また、刊行物１に記載された発明の「ブツシング１の先部をはめ込む孔」は、ブツシング１のヒンジ用穴１１にヒンジシャフトがはめ込まれることから、刊行物１に記載された発明の「ブツシング１の先部をはめ込む孔」と本願発明の「ヒンジシャフト(23)の上端が挿入される孔(34)」とは、「ヒンジシャフトの先端が挿入される孔」という点で共通するものである。
　ゆえに、上記両者の一致点及び相違点は、次のとおりである。　　　　 
［一致点］  
「冷蔵庫の本体の前方開口に上下に配置したヒンジ板のヒンジシャフトにて回動自在に枢支され、前記開口を開閉自在に閉塞する内部に発泡断熱を充填した冷蔵庫の扉体において、
　発泡前にセットされ、発泡後には発泡断熱材内に埋め込まれる断面コ字状の止め板を備え、
　この止め板は、前記ヒンジシャフトの先端が挿入される孔が設けられている止め部と、前記ヒンジシャフトの通る孔とが設けられている止め部と、これらの止め部を連結する連結部とで形成された
冷蔵庫の扉体。」
　
［相違点］
　本願発明では、扉体の下扉キャップと、この下扉キャップに固定される位置決めピンと、下扉キャップにセットされた断面コ字状の止め板とを備え、止め板は、ヒンジシャフトの上端が挿入される孔が設けられている上止め部と、位置決めピンの挿入される孔とネジが螺合されるタップ孔とヒンジシャフトの通る筒状突起に嵌合される孔とが設けられている下止め部で形成されているのに対して、
　刊行物１に記載された発明では、止め板はヒンジシャフトの先端及び後部が通る孔が設けられている二枚の対向する平板で形成されている点。
　
４．当審の判断
　以下、上記相違点について検討する。 
　本願発明と刊行物２に記載された発明とを対比する。
　刊行物２に記載された発明の「扉本体(2)」は本願発明の「扉体」に相当し、以下同様に、
　「下ヒンジ(4)部に位置するサッシ(6)」は「下扉キャップ」に、
　「板金製の継手(8)」は「止め板」に、
　「ネジ（20）が螺合されるサッシ孔(19)」は「ネジが螺合されるタップ孔」に、
　「冷蔵庫扉」は「冷蔵庫の扉体」に、
それぞれ相当する。
　そして、刊行物１に記載された発明の「ボス(17)」は、サッシ(6)のボス挿入穴(18)に挿入され固定されるものであることから、本願発明の「下扉キャップに固定される位置決めピン」に相当する。同様に、「ボス(17)の挿入されるボス挿入穴(18)」は「位置決めピンの挿入される孔」に、
　また、刊行物２に記載された発明１の「サッシ(6)の継部(9)を接続する位置に設けた」は、本願発明の「下扉キャップにセットされた」と同義である。
　さらに、刊行物２に記載された発明の「下ヒンジ用のベアリング」には、ヒンジシャフトが挿入されるものであることは明らかであるから、刊行物２に記載された発明は、ヒンジシャフトを具備するものである。したがって、刊行物２に記載された発明の「ベアリング挿入孔(15)」は、本願発明の「ヒンジシャフトの通る・・・孔」に相当する。
　
　したがって、刊行物２に記載された発明は、
「扉体の下扉キャップと、
この下扉キャップに固定される位置決めピンと、
下扉キャップにセットされた止め板とを備え、
止め板は、
位置決めピンの挿入される孔と
ネジが螺合されるタップ孔と
ヒンジシャフトの通る孔とが設けられている
冷蔵庫の扉体。」
と言い換えることができる。
　
　そして、刊行物１に記載された発明及び刊行物２に記載された発明は、ともに、冷蔵庫の扉体という同一の技術分野に属する発明であるから、刊行物１に記載された発明に、刊行物２に記載された発明を適用することは当業者が容易になし得たものである。
　さらに、刊行物２に記載された発明は、下ヒンジ(4)部における軸支持構造をもつ冷蔵庫扉に関する発明であることから、この発明を刊行物１に記載された発明に適用し、刊行物１に記載された発明におけるブツシング１の後部をはめ込む孔を設けた平板を下側のものとし、ブツシング１の先端をはめ込む孔を設けた平板を上側のものとするとともにこのブツシング１の先端を上端とすることは当業者であれば容易に想到できた事項である。
　ところで、冷蔵庫の扉体の技術分野において、扉キャップにヒンジシャフトの通る筒状突起を形成することは、本願出願前周知の技術事項である（例えば、特開平８−２１９６２７号公報の段落【0003】、【図6】、【図7】、実開昭６４−１２１８４号公報の第３図参照。）。
　したがって、当該適用に際して、上記周知の技術事項を考慮して、下止め部に形成されているヒンジシャフトの通る孔をヒンジシャフトの通る筒状突起の嵌合される孔とすることは、当業者が必要に応じてなし得た事項である。
　また、本願発明の奏する効果についてみても、刊行物１及び２に記載された発明並びに周知の技術事項により奏される効果の範囲内のものである。 
　
　よって、本願発明は、刊行物１及び２に記載された発明並びに周知の技術事項に基いて当業者が容易に発明をすることができたものであるといえる。
 　 
５．むすび  
　以上のとおりであるから、本願発明は、刊行物１及び２に記載された発明並びに周知の技術事項に基づいて当業者が容易に発明をすることができたものであるので、特許法第２９条第２項の規定により特許を受けることができない。 
 　 
　よって、結論のとおり審決する。